【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
着脱可能なディスク状記録媒体に対して情報データを記録し、又は再生する情報処理装置であって、
前記ディスク状記録媒体の排出を指示する排出指示手段と、
前記ディスク状記録媒体の排出のキャンセルを指示するキャンセル指示手段と、
前記排出指示手段による前記ディスク状記録媒体の排出指示を受けてから所定時間内に前記キャンセル指示手段によるキャンセル指示を受けた場合に、前記ディスク状記録媒体の排出動作を中止する制御手段と、
を具備することを特徴とする情報処理装置。
【請求項２】
前記所定時間とは、前記ディスク状記録媒体の排出指示を受けてから、実際に前記ディスク状記録媒体が排出可能となるまでの準備動作にかかる時間であることを特徴とする請求項１に記載の情報処理装置。
【請求項３】
前記準備動作は、少なくとも前記情報処理装置に装着されているディスク状記録媒体の管理情報を該ディスク状記録媒体に書き込む動作を含むことを特徴とする請求項２に記載の情報処理装置。
【請求項４】
前記所定時間を設定する設定手段を備えたことを特徴とする請求項１に記載の情報処理装置。
【請求項５】
前記排出指示手段と前記キャンセル指示手段とは同一の部材から構成されていることを特徴とする請求項１に記載の情報処理装置。
【請求項６】
前記排出指示手段と前記キャンセル指示手段とは異なる部材から構成されていることを特徴とする請求項１に記載の情報処理装置。
【請求項７】
前記排出指示手段により前記ディスク状記録媒体の排出指示がなされてから、前記所定時間の間、前記ディスク状記録媒体の排出のキャンセルが有効である旨を通知する通知手段をさらに具備することを特徴とする請求項１に記載の情報処理装置。
【請求項８】
前記制御手段は、前記ディスク状記録媒体に記録されている情報データに関する管理情報を前記ディスク状記録媒体から再生してメモリに記憶し、該メモリに記憶した前記管理情報を前記ディスク状記録媒体に対する前記情報データの記録又は再生動作に応じて更新し、前記排出指示手段による排出指示に応じて、前記メモリに記憶されている管理情報を前記ディスク状記録媒体に記録することを特徴とする請求項１に記載の情報処理装置。
【請求項９】
前記制御手段は、前記キャンセル指示手段によるキャンセルの指示があった場合には、新たに前記ディスク状記録媒体から前記管理情報を読み出すことなく、前記排出指示手段による排出指示を受けた際に前記メモリに記憶されていた管理情報を用いて前記情報データの記録または再生の動作を制御することを特徴とする請求項８に記載の情報処理装置。
【請求項１０】
前記ディスク状記録媒体に対して光ビームを照射する光ビームユニットと、前記ディスク状記録媒体の装着に応じて前記光ビームのパワーを調整する調整手段とをさらに具備し、前記制御手段は前記調整手段による調整の結果得られた前記光ビームの調整値をメモリに記憶し、前記キャンセル指示手段によるキャンセルの指示があった場合には、新たに前記光ビームのパワーの調整を行なうことなく、前記メモリに記憶された調整値を用いて前記光ビームを照射するよう前記光ビームユニットを制御することを特徴とする請求項１に記載の情報処理装置。
【請求項１１】
着脱可能なディスク状記録媒体の排出を指示する排出指示手段と、前記ディスク状記録媒体の排出のキャンセルを指示するキャンセル指示手段とを有し、前記着脱可能なディスク状記録媒体に対して情報データを記録し、又は再生する情報処理装置を制御する方法であって、
前記排出指示手段による前記ディスク状記録媒体の排出指示が出力されてから所定時間内に前記キャンセル指示手段によるキャンセル指示が出力された場合に、前記ディスク状記録媒体の排出動作を中止することを特徴とする情報処理装置の制御方法。
【請求項１２】
前記所定時間とは、前記ディスク状記録媒体の排出指示を受けてから、実際に前記ディスク状記録媒体が排出可能となるまでの準備動作にかかる時間であることを特徴とする請求項１１に記載の情報処理装置の制御方法。
【請求項１３】
前記準備動作は、少なくとも前記情報処理装置に装着されているディスク状記録媒体の管理情報を該ディスク状記録媒体に書き込む動作を含むことを特徴とする請求項１１に記載の情報処理装置の制御方法。
【請求項１４】
前記所定時間とは、ユーザによって設定された時間であることを特徴とする請求項１１に記載の情報処理装置の制御方法。
【請求項１５】
前記排出指示手段により前記ディスク状記録媒体の排出指示がなされてから、前記所定時間の間、前記ディスク状記録媒体の排出のキャンセルが有効である旨を通知することを特徴とする請求項１１に記載の情報処理装置の制御方法。
【請求項１６】
前記ディスク状記録媒体に記録されている情報データに関する管理情報を前記ディスク状記録媒体から再生してメモリに記憶し、該メモリに記憶した前記管理情報を前記ディスク状記録媒体に対する前記情報データの記録又は再生動作に応じて更新し、前記排出指示手段による排出指示に応じて、前記メモリに記憶されている管理情報を前記ディスク状記録媒体に記録することを特徴とする請求項１１に記載の情報処理装置の制御方法。
【請求項１７】
前記キャンセル指示手段によるキャンセルの指示があった場合には、新たに前記ディスク状記録媒体から前記管理情報を読み出すことなく、前記排出指示手段による排出指示を受けた際に前記メモリに記憶されていた管理情報を用いて前記情報処理装置の記録または再生の動作を制御することを特徴とする請求項１１に記載の情報処理装置の制御方法。
【請求項１８】
前記情報処理装置は、前記ディスク状記録媒体に対して光ビームを照射する光ビームユニットと、前記ディスク状記録媒体の装着に応じて前記光ビームのパワーを調整する調整手段とをさらに有し、前記ディスク状記録媒体の装着に応じて前記光ビームのパワーを調整すると共に、前記調整手段による調整の結果得られた前記光ビームの調整値をメモリに記憶し、前記キャンセル指示手段によるキャンセルの指示があった場合には、新たに前記光ビームのパワーの調整を行なうことなく、前記メモリに記憶された調整値を用いて前記光ビームを照射するよう前記光ビームユニットを制御することを特徴とする請求項１１に記載の情報処理装置の制御方法。
【請求項１９】
着脱可能なディスク状記録媒体に対して情報データを記録し、又は再生する情報処理装置であって、
前記ディスク状記録媒体の装着及び排出を行なう装着及び排出手段と、
前記ディスク状記録媒体から読み出した該ディスク状記録媒体に関する制御情報を記憶する記憶手段と、
前記装着及び排出手段により前記ディスク状記録媒体が排出状態にされてから所定時間内に再度前記装着及び排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なう制御手段と、
を具備することを特徴とする情報処理装置。
【請求項２０】
前記制御情報は、前記ディスク状記録媒体に記録されているデータの管理情報と、前記ディスク状記録媒体に記録又は再生を行なうためのレーザ光のパワーの調整値情報とを含むことを特徴とする請求項１９に記載の情報処理装置。
【請求項２１】
前記装着及び排出手段は、前記ディスク状記録媒体を載置するトレイと、該トレイを前記ディスク状記録媒体を前記情報処理装置に装着する位置と排出する位置とに移動させる指示を行なう指示手段とを備えることを特徴とする請求項１９に記載の情報処理装置。
【請求項２２】
前記装着及び排出手段は、前記ディスク状記録媒体を覆い、手動で開閉可能なディスクカバーを備えることを特徴とする請求項１９に記載の情報処理装置。
【請求項２３】
前記所定時間を使用者が設定するための設定手段をさらに具備することを特徴とする請求項１９に記載の情報処理装置。
【請求項２４】
前記所定時間の経過情報を表示する表示手段をさらに具備することを特徴とする請求項１９に記載の情報処置装置。
【請求項２５】
着脱可能なディスク状記録媒体に対して情報データを記録し、又は再生する情報処理装置であって、
前記ディスク状記録媒体の装着及び排出を行なう装着及び排出手段と、
前記ディスク状記録媒体から読み出した該ディスク状記録媒体に関する制御情報を記憶する記憶手段と、
前記ディスク状記録媒体が前記装着及び排出手段により排出状態にもたらされた後に、情報処理装置から取り出されたことを検出する検出手段と、
前記装着及び排出手段により前記ディスク状記録媒体が排出状態にされた後、前記情報処理装置から取り出されたことが前記検出手段により検出される前に、再度前記装着及び排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なう制御手段と、
を具備することを特徴とする情報処理装置。
【請求項２６】
前記制御情報は、前記ディスク状記録媒体に記録されているデータの管理情報と、前記ディスク状記録媒体に記録又は再生を行なうためのレーザ光のパワーの調整値情報とを含むことを特徴とする請求項２５に記載の情報処理装置。
【請求項２７】
着脱可能なディスク状記録媒体の装着及び排出を行なう装着及び排出手段と、前記ディスク状記録媒体から読み出した該ディスク状記録媒体に関する制御情報を記憶する記憶手段とを有し、前記着脱可能なディスク状記録媒体に対して情報データを記録し、又は再生する情報処理装置を制御する方法であって、
前記装着及び排出手段により前記ディスク状記録媒体が排出状態にされてから所定時間内に再度前記装着及び排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なうことを特徴とする情報処理装置の制御方法。
【請求項２８】
前記制御情報は、前記ディスク状記録媒体に記録されているデータの管理情報と、前記ディスク状記録媒体に記録又は再生を行なうためのレーザ光のパワーの調整値情報とを含むことを特徴とする請求項２７に記載の情報処理装置の制御方法。
【請求項２９】
着脱可能なディスク状記録媒体の装着及び排出を行なう装着及び排出手段と、前記ディスク状記録媒体から読み出した該ディスク状記録媒体に関する制御情報を記憶する記憶手段と、前記ディスク状記録媒体が前記装着及び排出手段により排出状態にもたらされた後に、情報処理装置から取り出されたことを検出する検出手段とを有し、前記着脱可能なディスク状記録媒体に対して情報データを記録し、又は再生する情報処理装置を制御する方法であって、
前記装着及び排出手段により前記ディスク状記録媒体が排出状態にされた後、前記情報処理装置から取り出されたことが前記検出手段により検出される前に、再度前記装着及び排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なうことを特徴とする情報処理装置の制御方法。
【請求項３０】
前記制御情報は、前記ディスク状記録媒体に記録されているデータの管理情報と、前記ディスク状記録媒体に記録又は再生を行なうためのレーザ光のパワーの調整値情報とを含むことを特徴とする請求項２９に記載の情報処理装置の制御方法。
【手続補正２】
【補正対象書類名】明細書
【補正対象項目名】０００７
【補正方法】変更
【補正の内容】
【０００７】
上述した課題を解決し、目的を達成するために、本発明に係わる情報処理装置は、着脱可能なディスク状記録媒体に対して情報データを記録し、又は再生する情報処理装置であって、前記ディスク状記録媒体の排出を指示する排出指示手段と、前記ディスク状記録媒体の排出のキャンセルを指示するキャンセル指示手段と、前記排出指示手段による前記ディスク状記録媒体の排出指示を受けてから所定時間内に前記キャンセル指示手段によるキャンセル指示を受けた場合に、前記ディスク状記録媒体の排出動作を中止する制御手段と、を具備することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
また、本発明に係わる情報処理装置の制御方法は、着脱可能なディスク状記録媒体の排出を指示する排出指示手段と、前記ディスク状記録媒体の排出のキャンセルを指示するキャンセル指示手段とを有し、前記着脱可能なディスク状記録媒体に対して情報データを記録し、又は再生する情報処理装置を制御する方法であって、前記排出指示手段による前記ディスク状記録媒体の排出指示が出力されてから所定時間内に前記キャンセル指示手段によるキャンセル指示が出力された場合に、前記ディスク状記録媒体の排出動作を中止することを特徴とする。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２７
【補正方法】変更
【補正の内容】
【００２７】
また、本発明に係わる情報処理装置は、着脱可能なディスク状記録媒体に対して情報データを記録し、又は再生する情報処理装置であって、前記ディスク状記録媒体の装着及び排出を行なう装着及び排出手段と、前記ディスク状記録媒体から読み出した該ディスク状記録媒体に関する制御情報を記憶する記憶手段と、前記装着及び排出手段により前記ディスク状記録媒体が排出状態にされてから所定時間内に再度前記装着及び排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なう制御手段と、を具備することを特徴とする。
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】変更
【補正の内容】
【００３３】
また、本発明に係わる情報処理装置は、着脱可能なディスク状記録媒体に対して情報データを記録し、又は再生する情報処理装置であって、前記ディスク状記録媒体の装着及び排出を行なう装着及び排出手段と、前記ディスク状記録媒体から読み出した該ディスク状記録媒体に関する制御情報を記憶する記憶手段と、前記ディスク状記録媒体が前記装着及び排出手段により排出状態にもたらされた後に、情報処理装置から取り出されたことを検出する検出手段と、前記装着及び排出手段により前記ディスク状記録媒体が排出状態にされた後、前記情報処理装置から取り出されたことが前記検出手段により検出される前に、再度前記装着及び排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なう制御手段と、を具備することを特徴とする。
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】変更
【補正の内容】
【００３５】
また、本発明に係わる情報処理装置の制御方法は、着脱可能なディスク状記録媒体の装着及び排出を行なう装着及び排出手段と、前記ディスク状記録媒体から読み出した該ディスク状記録媒体に関する制御情報を記憶する記憶手段とを有し、前記着脱可能なディスク状記録媒体に対して情報データを記録し、又は再生する情報処理装置を制御する方法であって、前記装着及び排出手段により前記ディスク状記録媒体が排出状態にされてから所定時間内に再度前記装着及び排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なうことを特徴とする。
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】変更
【補正の内容】
【００３７】
また、本発明に係わる情報処理装置の制御方法は、着脱可能なディスク状記録媒体の装着及び排出を行なう装着及び排出手段と、前記ディスク状記録媒体から読み出した該ディスク状記録媒体に関する制御情報を記憶する記憶手段と、前記ディスク状記録媒体が前記装着及び排出手段により排出状態にもたらされた後に、情報処理装置から取り出されたことを検出する検出手段とを有し、前記着脱可能なディスク状記録媒体に対して情報データを記録し、又は再生する情報処理装置を制御する方法であって、前記装着及び排出手段により前記ディスク状記録媒体が排出状態にされた後、前記情報処理装置から取り出されたことが前記検出手段により検出される前に、再度前記装着及び排出手段により前記ディスク状記録媒体が装着状態にされた場合に、前記ディスク状記録媒体からの前記制御情報の読み出しを行なわずに、前記記憶手段に記憶されている前記制御情報を用いて、前記ディスク状記録媒体の記録制御又は再生制御を行なうことを特徴とする。
【手続補正３１】
【補正対象書類名】明細書
【補正対象項目名】００３８
【補正方法】削除
【補正の内容】